(57)【要約】【課題】従来構成とは異なる優れた操作性を有する美容器具の提供を目的とする。【解決手段】美容器具１のローラー２に対して、ローラー２の回転軸線上でローラー２の一側と他側に露出する一対のグリップ面１０，１０を有し、かつ、ローラー２に対して回転軸線を中心に相対回転可能に保持されるグリップ部材３を配設する。そして、回転軸線上で一対のグリップ面１０，１０を両側から指で挟持して、ローラー２を体表Ｑで転動させるよう構成する。【選択図】図４
2019010355.tif 000002
【特許請求の範囲】
【請求項１】
ローラーと、
前記ローラーの回転軸線上で前記ローラーの一側と他側に露出する一対のグリップ面を有し、かつ、前記ローラーに対して前記回転軸線を中心に相対回転可能に保持されたグリップ部材と
を備え、
前記回転軸線上で前記一対のグリップ面を両側から指で挟持して、前記ローラーを体表で転動させるよう構成されたことを特徴とする美容器具。
【請求項２】
前記ローラーは、板状、扁球状，又は円環状であることを特徴とする請求項１に記載の美容器具。
【請求項３】
前記一対のグリップ面は、凹面形状をなしていることを特徴とする請求項１又は請求項２に記載の美容器具。
【発明の詳細な説明】
【技術分野】
【０００１】
本発明は、ローラーを体表で転動させて体表のマッサージを行う美容器具に関する。
【背景技術】
【０００２】
ローラーを体表で転動させて体表のマッサージを行う美容器具が種々提案されている（例えば、特許文献１）。こうした美容器具は、棒状のグリップの先端に１又は複数のローラーを回転可能に軸支してなるものであり、グリップを握ってローラーを体表に押し当てて、ローラーを体表に沿って転動させることにより、体表のマッサージを行うよう構成されている。
【先行技術文献】
【特許文献】
【０００３】
【特許文献１】特開２０１５−１８６５４０号公報
【発明の概要】
【発明が解決しようとする課題】
【０００４】
上述のように、従来の美容器具は、使用者が把持する位置がローラーから離れているため、ローラーを体表に押し付ける力の強さや方向を細かく調整できない。また、美容器具を顔に使用する際には、鏡でローラーの位置を確認したり、顔や手先の感覚だけでローラーの位置を確認するが、使用者が把持する位置がローラーから離れていると、細かな位置合わせが難しい。
【０００５】
本発明はかかる現状に鑑みてなされたものであり、上記従来構成とは異なる優れた操作性を有する美容器具の提供を目的とする。
【課題を解決するための手段】
【０００６】
本発明は、ローラーと、前記ローラーの回転軸線上で前記ローラーの一側と他側に露出する一対のグリップ面を有し、かつ、前記ローラーに対して前記回転軸線を中心に相対回転可能に保持されたグリップ部材とを備え、前記回転軸線上で前記一対のグリップ面を両側から指で挟持して、前記ローラーを体表で転動させるよう構成されたことを特徴とする美容器具である。
【０００７】
かかる構成では、使用者が挟持する部分とローラーの位置が極めて近接することとなるため、ローラーを体表に押し付ける力の強さや方向を容易に調整できる。また、かかる構成では、使用時にローラーと指先が近接しているため、指先で体表をなぞるような感覚で、ローラーを体表で転動させることができる。このため、顔などの直接目視できない場所に使用する場合でも、指先の感覚だけでローラーの位置を容易に位置合わせできる。
このように、本発明の美容器具は、ローラーを体表に押し付ける力の強さや方向を容易に調整でき、また、指先の感覚だけでローラーの位置を容易に位置合わせできるため、従来構成に比べて操作性に優れたものとなる。
【０００８】
また、本発明の美容器具は、棒状のグリップが不要であり、棒状のグリップを具備する従来構成に比べて、軽量化やコンパクト化が可能であるから、可搬性を向上させることもできる。
【０００９】
本発明にあって、前記ローラーは、板状、扁球状，又は円環状であることが提案される。従来の美容器具の円筒形状や球形状のローラーは幅広であるため、目や鼻の周囲の溝状に窪んだ部位を転動させるのが難しく、また、つぼやリンパ節などの狭い部分を集中的に押圧するのには不向きである。これに対して、かかる構成とすれば、円筒形状や球形状のローラーに比べて、ローラーが幅狭となるため、目や鼻の周囲の溝状に窪んだ部位も容易に転動させることができ、また、つぼやリンパ節などの狭い部分を集中的に押圧するのに適している。なお、ローラーが幅狭である場合には、ローラーと体表との接触面積が減少するため、棒状グリップの先端にローラーを軸支する構成では押圧が不安定となるが、本発明のように、ローラーを回転軸線上で両側から指で挟持する構成であれば、体表との接触面積が少なくても、体表にローラーを安定に押圧できる。
【００１０】
また、本発明にあって、前記一対のグリップ面は、凹面形状をなしていることが提案される。かかる構成によれば、グリップ面に押し当てた指が、グリップ面の凹みに嵌まり込むため、回動軸線上で美容器具をより安定に保持可能となる。
【発明の効果】
【００１１】
以上のように、本発明によれば、従来構成に比べて操作性に優れた美容器具を実現できる。
【図面の簡単な説明】
【００１２】
【図１】実施例１の美容器具１の斜視図である。
【図２】実施例１の美容器具１の分解斜視図である。
【図３】実施例１の美容器具１の縦断面図である。
【図４】実施例１の美容器具１の使用状態説明図である。
【図５】別角度から見た実施例１の美容器具１の使用状態説明図である。
【図６】（ａ）は、実施例２の美容器具１ａの縦断面図であり、（ｂ）は、実施例３の美容器具１ｂの縦断面図である。
【図７】実施例４の美容器具１ｃの縦断面図である。
【図８】実施例５の美容器具１ｄの斜視図である。
【図９】実施例５の美容器具１ｄの縦断面図である。
【図１０】実施例６の美容器具１ｅの斜視図である。
【図１１】実施例６の美容器具１ｅの縦断面図である。
【図１２】実施例７の美容器具１ｆの正面図である。
【図１３】実施例８の美容器具１ｇの縦断面図である。
【図１４】実施例９の美容器具１ｈの斜視図である。
【図１５】実施例９の美容器具１ｈの縦断面図である。
【発明を実施するための形態】
【００１３】
本発明の実施形態を、以下の実施例によって説明する。
【実施例１】
【００１４】
本実施例の美容器具１は、ローラー２を体表に押し当てて転動させることにより、肌や、筋肉、腱、リンパ、血管、神経などをマッサージするものである。かかる美容器具１は、図１〜３に示すように、ローラー２と、ローラー２の中心に嵌着されたボールベアリング４と、ローラー２の回転軸線Ｐの両側に配設された一対のグリップ部材３，３とで構成される。美容器具１の寸法は、直径約８ｃｍ、幅が約１ｃｍである。なお、本発明のローラーの好ましい寸法は、直径が３〜１０ｃｍ、幅が０．５〜４ｃｍ程度である。
【００１５】
ローラー２は、円板状をなすものであり、体表に押し当てられることとなる外周部７は断面円弧形状に丸められている。また、ローラー２の中央には、回転軸線Ｐを貫通する円形の回転軸穴８が形成され、該回転軸穴８にボールベアリング４が嵌着される。かかるローラー２は、一体のシリコンゴムで構成される。なお、本発明に係るローラーは、シリコンゴムに限定されず、その他の樹脂や、金属、木材、陶磁器、鉱物などで構成することができ、複数部材によって構成することもできる。
【００１６】
ボールベアリング４は、外輪１７と内輪１８の間に金属球１９を保持してなる一般的なものである。ボールベアリング４は、回転軸穴８と同大同厚の円板状をなしており、外輪１７を回転軸穴８に密嵌させるように嵌着されて、ローラー２の回転軸線Ｐを中心に、外輪１７と内輪１８を相対回転可能に保持される。
【００１７】
一対のグリップ部材３，３は、同一形状をなしており、ローラー２の回転軸穴８の両側に対称配置されて、ローラー２の回転軸線Ｐ上でローラー２の一側と他側に露出する一対のグリップ面１０を形成している。詳述すると、グリップ部材３は、グリップ面１０を形成する円板状の挟持部１１と、該挟持部１１の、グリップ面１０の裏側から突出する嵌合部１２と、嵌合部１２の周囲に形成されたスペーサ部１３とを備えており、夫々の嵌合部１２を、ボールベアリング４の内輪１８に嵌着することにより、ローラー２に対して回転軸線Ｐを中心に相対回転可能に保持されている。グリップ部材３のスペーサ部１３は、内輪１８の側面に当接し、これにより、挟持部１１が外輪１７やローラー２と当接しないように微間隙をおいて保持されている。一対のグリップ面１０は、回転軸穴８と略同大の円形平坦面であり、回転軸穴８を両側から覆うように対向配置されて、ローラー２の回転軸線Ｐと直交している。
【００１８】
本実施例の美容器具１で体表Ｑをマッサージする際は、図４，５に示すように、ローラー２の回転軸線Ｐ上で、一対のグリップ面１０，１０を両側から指で挟持して、ローラー２を体表Ｑの所要部位に押し当て、挟持した指を体表Ｑに沿って動かしてローラー２を体表Ｑで転動させる。このように、本実施例の美容器具１は、極めて近接した位置でローラー２を指で挟持して使用するため、上述のようにローラー２を体表Ｑで転動させる際には、ローラー２を体表に押し付ける力の強さや方向を、従来構成に比べて容易に調整できる。また、本実施例の美容器１は、回転軸線Ｐの両側からローラー２を指で挟持して使用するため、指先で体表Ｑをなぞるような感覚で、ローラー２を体表Ｑで転動させることができ、顔などの直接目視できない場所に使用する場合でも、指先の感覚だけでローラーの位置を容易に位置合わせできるという利点がある。このように、本実施例の美容器具１は、ローラー２を体表Ｑに押し付ける力の強さや方向を容易に調整でき、また、指先の感覚だけでローラー２の位置を容易に位置合わせできるため、従来構成に比べて操作性に優れている。
【００１９】
また、従来の美容器具の円筒形状や球形状のローラーは幅広であるため、目や鼻の周囲の溝状に窪んだ部位を転動させるのが難しく、また、つぼやリンパ節などの狭い部分を集中的に押圧するのには不向きであるが、本実施例のローラー２は板状であり、円筒形状や球形状のローラーに比べて幅狭であるため、目や鼻の周囲の溝状に窪んだ部位も容易に転動させることができ、また、つぼやリンパ節などの狭い部分を集中的に押圧するのに適している。なお、本実施例のように、幅狭なローラー２は、ローラー２と体表Ｑとの接触面積が少ないため、棒状のグリップの先端にローラー２を軸支する構成では、ローラー２を体表Ｑに押し付ける際にバランスが取りづらく不安定となるが、本実施例のように、ローラー２を回転軸線Ｐ上で両側から指で挟持する構成であれば、幅狭なローラー２であっても、体表Ｑに対して安定に押し付けることができる。
【００２０】
また、本実施例の美容器具１は、棒状のグリップを具備しないため、従来構成に比べて、軽量かつコンパクトであり、可搬性にも優れている。
【００２１】
なお、本実施例１の美容器具１は、上記のように美容ローラーとしての使用に加えて、ローラー２の側面を指で挟持して、ローラー２を回転させずに、かっさマッサージや指圧の器具として使用することもできる。
【００２２】
以下に、上記実施例１の構成を変更した実施例２〜９の美容器具１ａ〜１ｈについて説明する。なお、実施例１と共通する構成については、文中及び図中で同一符号を用いて詳細な説明を省略する。
【実施例２】
【００２３】
本実施例の美容器具１ａは、図６（ａ）に示すように、ローラー２ａをボールベアリング４よりも肉厚とすることにより、グリップ部材３を回転軸穴８に埋没させて、グリップ面１０をローラー２ａの側面と面一にしたものである。かかる構成では、グリップ部材３がローラー２ａの外側に膨出しないため、意匠性を向上させることができる。また、グリップ部材３の角に指が引っ掛かることもなくなる。このように、本発明に係るグリップ面は、ローラーの側面と面一であってもよい。また、本実施例では、ローラー２ａの外周部７ａが二筋に膨隆した形状となっている。このように、本発明に係るローラーの外周部の断面形状は適宜変更可能である。
【実施例３】
【００２４】
本実施例の美容器具１ｂは、図６（ｂ）に示すように、実施例２から、グリップ部材３ｂの挟持部１１ｂを凹ませて、グリップ面１０ｂを凹面形状に変更したものである。このように、グリップ面１０ｂが凹面形状であれば、グリップ面１０ｂに押し当てた指が、グリップ面１０ｂの凹みに嵌まり込むため、平坦なグリップ面１０に比べて美容器具１ｂを安定に保持可能となる。このように、本発明に係るグリップ面は、凹面形状であってもよいし、ローラーの側面よりも内側に形成されていてもよい。
【実施例４】
【００２５】
本実施例の美容器具１ｃは、図７に示すように、ローラー２ｃを扁球状（碁石状）に変更したものであり、グリップ部材３ｃは、ローラー２ｃの形状に合わせて挟持部１１ｃが外側に膨隆して、回転軸線Ｐの両側に凸面状のグリップ面１０ｄを形成している。このように、本発明に係るローラーは板状に限らず、扁球状（碁石状）等であってもよいし、グリップ面は凸面であってもよい。なお、ローラーが扁球状である場合にも、円筒形状や球状のローラーに比べて幅狭となるため、目や鼻の周囲等を従来構成に比べて適切にマッサージ可能となる。
【実施例５】
【００２６】
本実施例の美容器具１ｄは、図８，９に示すように、グリップ部材３ｄの挟持部１１ｄをローラー２の外周方向に延出させて、グリップ面１０ｄを径大として、該グリップ面１０ｄによって、回動軸穴８の周囲でローラー２の側面を部分的に覆ったものである。このように、本発明に係るグリップ面は、回動軸穴の両側だけでなく、ローラーの側面を覆うように形成してよい。
【実施例６】
【００２７】
本実施例の美容器具１ｅは、図１０，１１に示すように、グリップ部材３ｅの挟持部１１の周囲に、ローラー２の外周方向に延出してローラー２の外周部を部分的に覆う半円形状のカバー部１５を配設したものである。上述のように、本実施例の美容器具１ｅは、肌に化粧水等を付けた状態で使用することも可能であるため、ローラー２に化粧水等が付着することが想定されるが、かかる構成では、美容器具１ｅを保持した指が、ローラー２に触れ難いため、化粧水等で指が汚れ難いという利点がある。
【実施例７】
【００２８】
本実施例の美容器具１ｆは、図１２に示すように、ローラー２ｆを多角形板状に変更したものである。かかる構成にあっては、体表Ｑでローラー２ｆを転動させた際に、外周部７ｆの多角形状によってローラー２ｆががたつくこととなるため、タッピング効果を生じさせることができる。このように、本発明に係るローラーは、外周部が円形であるものに限られず、外周部の周方向に沿って角や凹凸が形成されたものであってもよい。
【実施例８】
【００２９】
本実施例の美容器具１ｇは、図１３に示すように、重ね合わせた２枚の円板状ローラー２，２の回転軸穴８，８に金属製の心棒２０を挿通して、該心棒２０の両端にキャップ状のグリップ部材３ｇ，３ｇを夫々嵌着してなるものである。すなわち、かかる美容器具１ｇでは、回転軸穴８の内周面と心棒２０の外周面との滑りによって、２枚のローラー２が回転可能に保持される。このように、本発明に係る美容器具は、一本の回転軸線上に複数のローラーを並べて軸支するものであってもよい。また、本発明に係るローラーは、心棒等によって回転可能に保持されるものであってもよい。
【実施例９】
【００３０】
本実施例の美容器具１ｈは、図１４，１５に示すように、円環状のローラー２ｈと、円板状のグリップ部材３ｈとで構成される。グリップ部材３ｈは、２つの樹脂部材を組み付けてなるものであり、その両側中央部には、凹面状のグリップ面１０ｈ，１０ｈが形成される。そして、グリップ部材３ｈには、外周方向に沿った溝路２１が形成される。円環状のローラー２ｈは、かかる溝路２１に外嵌しており、溝路２１に沿って摺動することにより、中心の回転軸線Ｐを中心に自転可能となっている。このように、本発明に係るローラーは、円環状であってもよい。なお、ローラーが円環状である場合にも、円筒形状や球状のローラーに比べて幅狭となるため、目や鼻の周囲等を従来構成に比べて適切にマッサージ可能となる。
【００３１】
以上に本発明の実施例を説明したが、本発明は上記実施例の形態に限られず、適宜変更可能である。例えば、実施例１では、ローラー２の外周部７やグリップ面１０が滑面となっているが、これらには、滑り止めや意匠性の付与を目的として、凹凸や溝を形成することができる。
【符号の説明】
【００３２】
１，１ａ，１ｂ，１ｃ，１ｄ，１ｅ，１ｆ，１ｇ，１ｈ  美容器具
２，２ａ，２ｃ，２ｆ，２ｈ  ローラー
３，３ｂ，３ｃ，３ｄ，３ｅ，３ｇ，３ｈ  グリップ部材
４ボールベアリング
７，７ａ，７ｆ  外周部
８  回転軸穴
１０，１０ｂ，１０ｃ，１０ｄ，１０ｈ  グリップ面
１１，１１ｂ，１１ｃ，１１ｄ  挟持部
１２  嵌合部
１３  スペーサー部
１５  カバー部
１７  外輪
１８  内輪
１９  ボール
２０  心棒
２１  溝路
Ｐ  回転軸線
Ｑ  体表
【図１】
2019010355.tif 000003
【図２】
2019010355.tif 000004
【図３】
2019010355.tif 000005
【図４】
2019010355.tif 000006
【図５】
2019010355.tif 000007
【図６】
2019010355.tif 000008
【図７】
2019010355.tif 000009
【図８】
2019010355.tif 000010
【図９】
2019010355.tif 000011
【図１０】
2019010355.tif 000012
【図１１】
2019010355.tif 000013
【図１２】
2019010355.tif 000014
【図１３】
2019010355.tif 000015
【図１４】
2019010355.tif 000016
【図１５】
2019010355.tif 000017